(57)【要約】【課題】植毛部における外観品質の低下を防止することのできるウエザストリップ及びその製造方法を提供する。【解決手段】自動車用ドアのドア開口周縁にはウエザストリップが装着されている。ウエザストリップは、断面略Ｕ字形のトリム部及び中空状のシール部を備えるとともに、トリム部には意匠リップ１８が延出形成されている。意匠リップ１８の外表面などウエザストリップの意匠面には、黒色とは異なる色の着色が施された接着剤層２８が形成されるとともに、その接着剤層２８上に植毛部２９が形成されている。【選択図】      図４
2007131094.tif 000002
【特許請求の範囲】
【請求項１】
車両のドアの周縁部又はドア開口周縁のフランジに保持される断面略Ｕ字状のトリム部と、
前記トリム部から突出して設けられ、ドア閉時にドア開口周縁又はドアの周縁に圧接される中空状のシール部とを具備した本体部を備え、
当該本体部が黒色のゴム材料よりなるウエザストリップにおいて、
前記トリム部の外表面に、黒色とは異なる色の着色が施された接着剤層を形成するとともに、当該接着剤層を介して植毛部を形成したことを特徴とするウエザストリップ。
【請求項２】
車両のドアの周縁部又はドア開口周縁のフランジに保持される断面略Ｕ字状のトリム部と、
前記トリム部から突出して設けられ、ドア閉時にドア開口周縁又はドアの周縁に圧接される中空状のシール部と、
前記トリム部の外表面から延出形成されたリップ部とを具備した本体部を備え、
当該本体部が黒色のゴム材料よりなるウエザストリップにおいて、
少なくとも前記リップ部の外表面に、黒色とは異なる色の着色が施された接着剤層を形成するとともに、当該接着剤層を介して植毛部を形成したことを特徴とするウエザストリップ。
【請求項３】
前記植毛部を、黒色とは異なる色の着色が施されたパイルを植毛することにより形成したことを特徴とする請求項１又は２に記載のウエザストリップ。
【請求項４】
前記接着剤層及び前記植毛部を同色又は同系色に着色したことを特徴とする請求項３に記載のウエザストリップ。
【請求項５】
前記接着剤層を、水系のウレタン系接着剤により形成したことを特徴とする請求項１乃至４のいずれかに記載のウエザストリップ。
【請求項６】
請求項１乃至５のいずれかに記載のウエザストリップの製造方法であって、
前記ウエザストリップの本体部を押出成形する押出成形工程と、
前記本体部の外表面に表面処理を施す表面処理工程と、
前記表面処理の施された本体部の外表面に接着剤を塗布する接着剤塗布工程と、
前記接着剤の塗布された部位にパイルを植毛する植毛工程とを備えたことを特徴とするウエザストリップの製造方法。
【発明の詳細な説明】
【技術分野】
【０００１】
本発明は、植毛の施されるウエザストリップ及びその製造方法に関するものである。
【背景技術】
【０００２】
一般に、自動車等の車両のドアの周縁部又はドア開口周縁にはウエザストリップが設けられる。ウエザストリップは、ドアの周縁部又はドア開口周縁のフランジに嵌め込まれる断面略Ｕ字状のトリム部と、該トリム部から突出して設けられた中空状のシール部とを備えている。そして、ドア閉時には、ドア開口周縁又はドアの周縁部にシール部が圧接されることによって、ドアとボディとの間がシールされる。
【０００３】
近年では、トリム部の意匠面に植毛を施すことにより、意匠性の向上を図っているウエザストリップも見受けられる（例えば、特許文献１参照。）。
【特許文献１】実開昭５４−７９６１３号公報
【発明の開示】
【発明が解決しようとする課題】
【０００４】
しかしながら、従来技術では、安価な透明パイルはもちろんのこと、着色されたパイルを密に植毛したとしても、素地となるトリム部の表面が見えてしまい、見栄えが悪くなるおそれがあった。一般的にウエザストリップの材料として使用されているゴム材料には、補強材としてカーボンブラックが含まれているため、所望の色に着色することが困難であるとともに、上記不具合がより顕著に現われるおそれがある。
【０００５】
本発明は上記問題点を解決するためになされたものであって、その目的は、植毛部における外観品質の低下を防止することのできるウエザストリップ及びその製造方法を提供することにある。
【課題を解決するための手段】
【０００６】
以下、上記問題を解決するのに適した各手段につき、項分けして説明する。なお、必要に応じて対応する手段に特有の作用効果等を付記する。
【０００７】
手段１．車両のドアの周縁部又はドア開口周縁のフランジに保持される断面略Ｕ字状のトリム部と、
前記トリム部から突出して設けられ、ドア閉時にドア開口周縁又はドアの周縁に圧接される中空状のシール部とを具備した本体部を備え、
当該本体部が黒色のゴム材料よりなるウエザストリップにおいて、
前記トリム部の外表面に、黒色とは異なる色の着色が施された接着剤層を形成するとともに、当該接着剤層を介して植毛部を形成したことを特徴とするウエザストリップ。
【０００８】
上記手段１によれば、トリム部の外表面に植毛部を形成するための接着剤層に、黒色とは異なる色の着色を施すことにより、トリム部のカーボンブラックに基づく黒色を隠すことができる。ここで、「黒色とは異なる色の着色が施され」とあるのは、補強剤であるカーボンブラックのみに基づく黒色とは異なる色の着色が施されることをいうのであって、黒色以外の赤、青等の着色が施される場合は勿論のこと、ガーニッシュ等の内装品が黒色の場合に、当該内装品に色、艶を合わせるために黒色顔料を加えて色調整する場合も含まれる（手段２，３等においても同様）。従って、このような接着剤層を介して植毛部を形成することにより、植毛部を通してトリム部の素材の黒色（カーボンブラック色）が見えるといった不具合が抑制される。結果として、素地の隠蔽性を高め、外観品質の向上を図ることができる。なお、上記効果をより確実なものとするためには、接着剤層を不透明とすることが望ましい。このため、接着剤自体が透明性を有するような場合には、接着剤に懸濁剤等を添加するのが望ましい。
【０００９】
手段２．車両のドアの周縁部又はドア開口周縁のフランジに保持される断面略Ｕ字状のトリム部と、
前記トリム部から突出して設けられ、ドア閉時にドア開口周縁又はドアの周縁に圧接される中空状のシール部と、
前記トリム部の外表面から延出形成されたリップ部とを具備した本体部を備え、
当該本体部が黒色のゴム材料よりなるウエザストリップにおいて、
少なくとも前記リップ部の外表面に、黒色とは異なる色の着色が施された接着剤層を形成するとともに、当該接着剤層を介して植毛部を形成したことを特徴とするウエザストリップ。
【００１０】
上記手段２によれば、上記手段１と同様の作用効果が奏される。
【００１１】
手段３．前記植毛部を、黒色とは異なる色の着色が施されたパイルを植毛することにより形成したことを特徴とする手段１又は２に記載のウエザストリップ。
【００１２】
上記手段３によれば、接着剤層のみならず、植毛部を構成するパイルにも着色を施すことにより、上記手段１の作用効果をさらに高めることができる。
【００１３】
手段４．前記接着剤層及び前記植毛部を同色又は同系色に着色したことを特徴とする手段３に記載のウエザストリップ。
【００１４】
上記手段４によれば、両者間に色の差異が少なくなり、上記手段１の作用効果をさらに高めることができる。
【００１５】
手段５．前記接着剤層を、水系のウレタン系接着剤により形成したことを特徴とする手段１乃至４のいずれかに記載のウエザストリップ。
【００１６】
上記手段５によれば、水系のウレタン系接着剤により、ゴム材料よりなるウエザストリップに対し、より強固にパイルを固着することができる。
【００１７】
手段６．手段１乃至５のいずれかに記載のウエザストリップの製造方法であって、
前記ウエザストリップの本体部を押出成形する押出成形工程と、
前記本体部の外表面に表面処理を施す表面処理工程と、
前記表面処理の施された本体部の外表面に接着剤を塗布する接着剤塗布工程と、
前記接着剤の塗布された部位にパイルを植毛する植毛工程とを備えたことを特徴とするウエザストリップの製造方法。
【００１８】
上記手段６によれば、ウエザストリップの本体部の外表面に表面処理を施すことによって、接着剤層が形成されやすくなる。
【発明を実施するための最良の形態】
【００１９】
以下に、一実施形態について図面を参照して説明する。図１に示すように、車両としての自動車１の側方にはドア２が開閉可能に設けられ、ドア２に対応するボディ側のドア開口３周縁にはウエザストリップ４が装着されている。本実施形態のウエザストリップ４は、主として押出成形法によって成形され、全体として環状をなす。
【００２０】
図２に示すように、ウエザストリップ４はトリム部５及びシール部６を備えている。トリム部５は、車内側側壁部１１、車外側側壁部１２及び両側壁１１，１２を連結する連結部１３を備えており、全体として断面略Ｕ字状をなす。トリム部５は、ＥＰＤＭ（エチレン−プロピレン−ジエン共重合）ソリッドゴムによって構成されており、その内部には金属製のインサート１４が埋設されている。なお、前述したように、本実施形態では、ウエザストリップ４を構成するゴム材料としてＥＰＤＭゴムを採用している。このＥＰＤＭゴムは、補強材としてカーボンブラックを含んでおり、その素地色は黒色となっている。
【００２１】
車外側側壁部１２の内面（車内側面）にはトリム部５の内側（車内側）に向かって延びる複数の保持リップ部１５が一体形成され、車内側側壁部１１の内面（車外側面）にはトリム部５の内側（車外側）に向かって延びる保持リップ部１６が一体形成されている。連結部１３には図示しないガーニッシュ等の内装品の端部を覆う意匠リップ１８が延出形成されている。意匠リップ１８が本実施形態におけるリップ部に相当する。
【００２２】
また、ドア開口３周縁には、前記ボディのインナパネル２１及びアウタパネル２２が接合されることによりフランジ２３が形成されており、このフランジ２３にトリム部５が嵌め込まれることにより、ウエザストリップ４がドア開口３周縁に保持される。
【００２３】
一方、シール部６は、車外側側壁部１２の車外側において突出して設けられ、ＥＰＤＭスポンジゴムによって中空状に構成されている。そして、ドア２閉時には、シール部６がドア２の周縁に圧接されることで、ドア２と自動車１のボディとの間がシールされる。
【００２４】
ウエザストリップ４の取付状態では、意匠リップ１８の略先端部から基端部、さらにはトリム部５の連結部１３、車外側側壁部１２におけるシール部６との連接部に至る範囲の外表面は、外観に現れる意匠面Ｄとなる。図４の部分拡大断面図を見ても分かるとおり、この意匠面Ｄには接着剤層２８が形成され、その接着剤層２８上に植毛部２９が形成されている。本実施形態における接着剤層２８を構成する接着剤としては、水系のウレタン系接着剤が用いられており、着色剤が混入されることで不透明かつベージュ色に着色されている。もちろん、接着剤層２８に着色される色種はベージュ色に限らず、黒色（カーボンブラックに基づく黒色）以外の色種であれば、ガーニッシュ等の内装品に合わせたどのような色であってもよい（例えば、赤、青、グレー（灰色）、ブラウン（こげ茶色）等）。なお、内装品が黒色の場合、内装品の黒色との色・艶を合わせるために黒色顔料を加えて調整する場合もある。
【００２５】
植毛部２９は、接着剤層２８に多数本のパイル２９ａを静電植毛することにより形成されている。本実施形態では、パイル２９ａとして、例えば長さが約０．５ｍｍ〜０．８ｍｍで、太さが１．５デニール〜３デニールのポリアミド繊維が使用されている。また、本実施形態のパイル２９ａには、上記接着剤層２８と同色の着色が施されている。
【００２６】
次に上記ウエザストリップ４の製造方法について説明する。図５はウエザストリップ４の製造ラインの一部を示す模式図であり、この図中においてウエザストリップ４は左側から右方向に進みながら製造される。
【００２７】
まず、押出成形工程においては、ゴム押出機３１に対し、ＥＰＤＭ未加硫ゴムとともにインサート１４が連続的に供給される。そして、ＥＰＤＭ未加硫ゴムによってインサート１４が被覆された状態で、ゴム押出機３１のダイスからウエザストリップ４の本体部となる中間成形体３２（図３参照）が押出成形される。この段階では、トリム部５に対応するインサート１４を埋設した部位が図３に示すように開いた状態で略平板状に押出される。
【００２８】
続く加硫工程では、押出成形された中間成形体３２が高周波加硫槽（ＵＨＦ）３３に案内され、一次加硫が施される。その後、熱風加硫槽（ＨＡＶ）３４に案内され、二次加硫が施され、加硫が完了する。
【００２９】
続く表面処理工程においては、表面処理装置３７によって、後述する接着剤層２８を形成しやすいように、中間成形体３２に表面処理が施される。表面処理としては、プラズマ処理、コロナ放電処理、プライマー塗布等の極性を持たせる処理が例として挙げられる。
【００３０】
その後、接着剤塗布工程において、接着剤塗布装置３８によって中間成形体３２の表面に接着剤を塗布し、接着剤層２８を形成する。
【００３１】
続く植毛工程では、まず植毛装置３９において、接着剤の塗布された部位にパイル供給源から多数本のパイル２９ａが降下される。この際、接着剤層２８とパイル供給源との間に電圧が印加され、降下したパイル２９ａが接着剤層２８に静電植毛される。そして、乾燥機４０において接着剤を加熱硬化させ、パイル２９ａを抜け落ち不能に固定した後、送風機４１において余分なパイル２９ａを吹き飛ばす。これらの工程を経て植毛部２９が完成する。なお、植毛に際して、曲げ加工が施されるトリム部５のコーナー部に対応する意匠面Ｄにおいては、他の箇所よりも密に植毛を施すことにより、ウエザストリップ４の完成後において、意匠面Ｄ全域に略均一な植毛部２９を形成することができる。
【００３２】
植毛工程を経た中間成形体３２は曲げ加工機４２により曲げ加工され、断面略Ｕ字状のトリム部５が形成される。その後、カッター４３で所定の寸法に裁断され、ウエザストリップ４が得られる。
【００３３】
以上詳述したように、意匠リップ１８の外表面など、ウエザストリップ４の意匠面Ｄに植毛部２９を形成するための接着剤層２８に、黒色とは異なる色（本実施形態ではベージュ色）の着色を施すことにより、ＥＰＤＭゴムの素材色である黒色を隠すことができる。従って、このような接着剤層２８を介して植毛部２９を形成することにより、植毛部２９を通して意匠面Ｄの素地の黒色が見えるといった不具合が抑制される。結果として、素地の隠蔽性を高め、外観品質の向上を図ることができる。
【００３４】
さらに、本実施形態では、パイル２９ａに上記接着剤層２８と同色の着色が施されている。このように接着剤層２８のみならず、植毛部２９を構成するパイル２９ａにも着色を施すことにより、上記作用効果をさらに高めることができる。
【００３５】
加えて、接着剤層２８及び植毛部２９を同色に着色しているため、両者間に色の差異が少なくなり、さらに上記作用効果を高めることができる。
【００３６】
尚、上記実施の形態の記載内容に限定されず、例えば次のように実施してもよい。勿論、以下において例示しない他の応用例、変更例も当然可能である。
【００３７】
（ａ）上記実施形態では、（サイドフロント）ドア２に対応するボディ側のドア開口３周縁に設けられるウエザストリップ４について具体化しているが、ドア２の周縁部、又は、リヤドア、バックドア、ラッゲージドア（トランクリッド）、ルーフドア（スライディングルーフパネル）等の他のドアの周縁部又はそれらのドアに対向するドアの開口周縁に設けられるウエザストリップについて適用することも可能である。
【００３８】
（ｂ）意匠リップ１８を省略し、トリム部５の外表面が意匠面となるウエザストリップにおいては、トリム部５の外表面に植毛部２９を形成する構成としてもよい。
【００３９】
（ｃ）上記実施形態では、ウエザストリップ４の本体部を構成する素材としてＥＰＤＭを例示しているが、ＩＲ（イソプレンゴム）、ＣＲ（クロロプレンゴム）等の他のゴム材料を用いてもよい。
【００４０】
（ｄ）上記実施形態では、接着剤層２８を構成する接着剤としては、水系のウレタン系接着剤が用いられているが、ブチル系接着剤等の他の接着剤を用いてもよい。
【００４１】
（ｅ）上記実施形態では、ウエザストリップ４がドア開口３周縁の全周にわたって取付けられているが、必ずしも全周でなくてもよく、例えば部分的に取付けられるウエザストリップであってもよい。また、部分的に型成形部を備えていても良い。
【００４２】
（ｆ）上記実施形態では、植毛部２９を構成するパイル２９ａとしてポリアミド製のものを採用しているが、これに限らず、ポリエチレン製などのものを採用してもよい。もちろん、パイル２９ａの長さ等も上記実施形態に限定されるものではない。例えば、直毛のパイル２９ａに代えて曲毛のパイルを採用してもよい。また、植毛方法は上記実施形態の静電植毛に限らず、吹付け植毛であってもよい。パイルの色に関しても上記実施形態に限定されるものではなく、例えば透明（無色）のパイル、接着剤層２８の色（例えば赤色）と同系色（例えば赤茶色）のパイルを採用してもよい。
【図面の簡単な説明】
【００４３】
【図１】自動車を示す斜視図である。
【図２】一実施形態におけるウエザストリップを示す断面図である。
【図３】ウエザストリップの中間成形体を示す断面図である。
【図４】接着剤層及び植毛部を説明するための部分拡大断面図である。
【図５】ウエザストリップの製造ラインの一部を示す模式図である。
【符号の説明】
【００４４】
１…自動車、２…ドア、３…ドア開口、４…ウエザストリップ、５…トリム部、６…シール部、１８…意匠リップ、２８…接着剤層、２９…植毛部、２９ａ…パイル、Ｄ…意匠面。
【図１】
2007131094.tif 000003
【図２】
2007131094.tif 000004
【図３】
2007131094.tif 000005
【図４】
2007131094.tif 000006
【図５】
2007131094.tif 000007